(57)【要約】【課題】小型化、軽量化、低コスト化が可能で、消費電力も抑えることができる液晶表示装置を提供する。【解決手段】液晶表示装置１は、液晶パネル３と、液晶パネル３を背面から照射するバックライトＬＥＤ１５と、操作ボタン１２とを少なくとも備え、バックライトＬＥＤ１５と操作ボタン１２とをバックライト用基板１１上に実装する。操作ボタン１２は、透光性物質で構成されており、バックライトＬＥＤ１５と操作ボタン１２の間には導光部が形成される。【選択図】図３
2008145536.tif 000002
【特許請求の範囲】
【請求項１】
液晶パネルと、前記液晶パネルを背面から照射するバックライト光源と、操作ボタンとを少なくとも備え、前記バックライト光源と操作ボタンとを同一基板上に実装することを特徴とする液晶表示装置。
【請求項２】
前記操作ボタンは、透光性物質で構成されており、前記バックライト光源と前記操作ボタンの間には導光部が形成されることを特徴とする請求項１記載の液晶表示装置。
【発明の詳細な説明】
【技術分野】
【０００１】
本発明は、液晶パネル、バックライト光源、操作検出手段などからなる液晶表示装置に関する。詳細には、カメラ、携帯用電話機など表示面積が比較的に小型であり、且つ、電源容量も少ない機器への使用に適するように、光源にＬＥＤランプを採用したバックライト光源を有する液晶表示装置に関する。
【背景技術】
【０００２】
従来、デジタルカメラは、液晶表示装置が標準で装備されており、それをファインダとして使用している。デジタルカメラの背面にはこの液晶表示装置と操作ボタン部が配置されている。
【０００３】
液晶表示装置は液晶パネルとバックライト光源、その他から構成される。バックライト光源として、サイドライト方式を採用して薄型化したバックライトＬＥＤが知られている。
【０００４】
図５は、従来例に係る液晶表示装置の外観斜視図、図６は、図５の液晶表示装置の分解斜視図である。
【０００５】
図５、図６において、液晶表示装置１００は、平板状で四角形状の液晶パネル１０１と、その裏面側に配置された平板状で四角形状の導光板１０３の一側面部に嵌合されるバックライトＬＥＤ１０５を備える。バックライトＬＥＤ１０５は、配線板１０７に取り付けられ、各バックライトＬＥＤ１０５が配線板１０７に電気的に接続されている。
【０００６】
このような構成の液晶表示装置１００によれば、導光板１０３の一側面部に配置されたバックライトＬＥＤ１０５から発光された光が導光板１０３に導かれ、この導光板１０３が全面的に発光する。このことにより、この上に配置された液晶パネル１０１のバックライトの機能がもたらされる。
【０００７】
また、操作ボタン部は、金属ドーム接点を有したスイッチが配線板２０２に貼り付けられ、ボタン２０３を押圧することで操作を行うよう構成されている。スイッチが押されたとき、配線板２０２に配線されたパターンがショートすることでボタン操作の検出を行う。
【０００８】
また、ボタン２０３をアクリルなどの透光部材にしておいて配線板２０２上に実装されたＬＥＤ２０４の光をボタン２０３でカメラ外部に導くことで光るボタンを実現していた。符号１０２はプリズムシート、１０４は拡散シート、１０６は反射板、１０８はスペーサ、１０９は反射板、１１０はフレームを示す。上記の液晶表示装置は特許文献１に示されている。
【特許文献１】特開平５−３１４８５５号公報
【発明の開示】
【発明が解決しようとする課題】
【０００９】
しかしながら、上記従来の構成では、操作ボタン部とバックライトＬＥＤは、別の基板に実装されており、広いスペースが必要になるとともに、コスト高になる不具合がある。また、押しボタンを光らせるために、バックライトＬＥＤとは別個にＬＥＤが必要となり、やはりコスト高になる不具合がある。
【００１０】
また、バックライトＬＥＤとは別個にＬＥＤを備えることで、消費電力が増加し、携帯用電話機やデジタルカメラなど１次電池を電源として採用している機器においては電池の交換時期を早めるなど、機器の性能までも損なうものとなる不具合が生じる。更に、ＬＥＤ２０４の数が増えることで、小型化、軽量化が必要条件である携帯用電話機、カメラなどの機器を大型化させる不具合もある。
【００１１】
本発明の目的は、小型化、軽量化、低コスト化が可能で、消費電力も抑えることができる液晶表示装置を提供することにある。
【課題を解決するための手段】
【００１２】
上記目的を達成するために、請求項１記載の液晶表示装置は、液晶パネルと、前記液晶パネルを背面から照射するバックライト光源と、操作ボタンとを少なくとも備え、前記バックライト光源と操作ボタンとを同一基板上に実装することを特徴とする。
【発明の効果】
【００１３】
本発明の液晶表示装置は、液晶パネルと、液晶パネルを背面から照射するバックライト光源と、操作ボタンとを少なくとも備え、バックライト光源と操作ボタンとを同一基板上に実装する。従って、操作ボタン専用の基板が不要となり、小型化、軽量化、低コスト化を図ることができる。
【００１４】
また、本発明の液晶表示装置において、操作ボタンは、透光性物質で構成されており、バックライト光源と操作ボタンの間には導光部が形成されるので、操作ボタン専用の光源が不要となり、小型化、軽量化、低コスト化が可能で、消費電力も抑えることができる。
【発明を実施するための最良の形態】
【００１５】
以下、本発明の実施の形態を図面を参照しながら詳細に説明する。
【００１６】
図１は、本発明の実施の形態に係る液晶表示装置の外観斜視図、図２は、図１の液晶表示装置の分解斜視図である。
【００１７】
図１、図２において、液晶表示装置１は、導光板２、液晶パネル３、プリズムシート４、拡散シート５、スペーサ６、反射板７、フレーム９、金属ドーム１０、バックライト用基板１１、操作ボタン１２、バックライトＬＥＤ（バックライト光源）１５を備える。
【００１８】
導光板２は、例えば透明樹脂などの部材で略矩形の板状として形成されるものであり、背面側には反射処理（反射処理部２ａ）が行われると共に、少なくとも１辺が光源取付片２１となっている。
【００１９】
光源取付片２１から導入された光は、反射処理部２ａ及び反射板７で反射され、導光板２の前面から外部に放射される。反射板７はＰＥＴやアルミの材質のものを良く用いる。反射板７は、光を反射させて液晶パネル３へ導く。プリズムシート４は、液晶パネル３上の発光輝度を上げるためのものである。拡散シート５は光ムラをなくすためのものである。
【００２０】
図３は、図１の液晶表示装置におけるバックライト用基板を中心とした構造を概略的に示す図である。
【００２１】
図３において、バックライト用基板１１上には金属ドーム１０が貼り付けられている。その上部にポリカーボネートなどの透光性物質で作られている操作ボタン（押ボタン）１２が取り付けられる。また同様に、バックライト用基板１１上にバックライトＬＥＤ１５が実装されている。
【００２２】
次に、操作ボタンの発光機構について説明する。通電により、バックライト用基板１１に実装されたバックライトＬＥＤ１５が発光する。バックライトＬＥＤ１５からの照射光Ｌａは、フレーム穴９ａ（図２）、基板穴１１ａ、金属ドーム穴１０ａを通り、操作ボタン１２に導光され、内部を通った後、外部に放射される。
【００２３】
上記のバックライトＬＥＤ１５からの照射光Ｌａにより操作ボタン１２は発光する。従って、周囲が暗い場所であっても操作ボタン１２の所在位置を目視により確認することができる。
【００２４】
図４は、図１の液晶表示装置が適用される撮像装置の背面外観斜視図である。
【００２５】
図４において、撮像装置１６の背面に液晶表示装置１があって、同時に、液晶表示装置１を構成する操作ボタン１２がある。バックライトＬＥＤ１５（図３）が点灯したときに、操作ボタン１２も発光する。
【図面の簡単な説明】
【００２６】
【図１】本発明の実施の形態に係る液晶表示装置の外観斜視図である。
【図２】図１の液晶表示装置の分解斜視図である。
【図３】図１の液晶表示装置におけるバックライト用基板を中心とした構造を概略的に示す図である。
【図４】図１の液晶表示装置が適用される撮像装置の背面外観斜視図である。
【図５】従来例に係る液晶表示装置の外観斜視図である。
【図６】図５の液晶表示装置の分解斜視図である。
【符号の説明】
【００２７】
１  液晶表示装置
２  導光板
３  液晶パネル
４  プリズムシート
５  拡散シート
６  スペーサ
７  反射板
９  フレーム
１０  金属ドーム
１１  バックライト用基板
１２  操作ボタン
１５  バックライトＬＥＤ
１６  撮像装置
【図１】
2008145536.tif 000003
【図２】
2008145536.tif 000004
【図３】
2008145536.tif 000005
【図４】
2008145536.tif 000006
【図５】
2008145536.tif 000007
【図６】
2008145536.tif 000008